(57)【要約】【課題】相手コネクタ離脱時のフロントホルダの変形を抑制できるコネクタを提供する。【解決手段】コネクタ１１は、後方からメス端子が挿入される端子収容室１７を有する筒型形状のハウジング１３と、相手端子挿入孔４３を有してハウジング１３の前端部４９に対してコネクタ嵌合方向に直交する上方から挿着され、ハウジング１３の両側壁５１に設けたロック部５３に係止されるフロントホルダ１５と、を備える。ハウジング１３の前端部４９における上面３９には、一対のリブ６７からなる係合凸部５９が突設され、フロントホルダ１５の上部６１には、ハウジング１３に装着された際に、ハウジング１３の係合凸部５９の両側面６５を挟持するようにハウジング１３の後方に向けて延びる一対の係止突起６３が突設される。【選択図】図１
2013105590.tif 000002
【特許請求の範囲】
【請求項１】
後方から接続端子が挿入される端子収容室を有する筒型形状のハウジングと、
相手端子挿入孔を有して前記ハウジングの前端部に対してコネクタ嵌合方向に直交する上方から挿着され、前記ハウジングの両側壁に設けたロック部に係止されるフロントホルダと、
を備えるコネクタであって、
前記ハウジングの前端部における上面には、係合凸部が突設され、
前記フロントホルダの上部には、前記ハウジングに挿着された際に前記係合凸部の両側面を挟持するように前記ハウジングの後方に向けて延びる一対の係止突起が突設されることを特徴とするコネクタ。
【請求項２】
請求項１に記載のコネクタであって、
前記係合凸部の両側面及び前記一対の係止突起が、コネクタ嵌合方向と平行に延びることを特徴とするコネクタ。
【請求項３】
請求項１または請求項２に記載のコネクタであって、
前記係合凸部が、コネクタ嵌合方向に延びる一対のリブにより形成されることを特徴とするコネクタ。
【発明の詳細な説明】
【技術分野】
【０００１】
本発明は、コネクタに関する。
【背景技術】
【０００２】
コネクタには、端子収容室に接続端子の前方抜け防止壁を設けるためや、端子を二重係止するためのフロントホルダを備えたものがある（例えば、特許文献１、２等参照）。
例えば図６及び図７に示すコネクタ５０１は、ハウジング５０３と、フロントホルダ５０５と、接続端子と、を有して構成されている。ハウジング５０３には接続端子であるメス端子５０７を収容する端子収容室５０９が形成され、端子収容室５０９にはメス端子５０７の後方抜けを防止するランス５１１が設けられている（図７（ｂ）参照）。メス端子５０７にはランス５１１が係止するランス係止部５１３が設けられている。ランス前方のハウジング５０３には、フロントホルダ５０５を収容するホルダ収容空間５１５が形成される。
フロントホルダ５０５は、ハウジング５０３の上面（図７（ａ）の紙面垂直方向上方の面）からホルダ収容空間５１５に挿着され、端子収容室５０９の前方にメス端子５０７の前方抜け防止壁５２３を区画形成する。
【０００３】
図８に示すように、ハウジング５０３の側壁５１７には、フロントホルダ５０５のロック突起５１９と係止する凹状のロック部５２１が形成される。ロック部５２１は、ハウジング５０３の左右対称位置に設けられる。フロントホルダ５０５は、ハウジング５０３の上方（図６（ａ）の紙面垂直方向の上方）から挿着され、側面に突設したロック突起５１９がロック部５２１に係止されることでホルダ収容空間５１５に収容保持される。即ち、コネクタ嵌合方向と直交するハウジング５０３の上方から挿着されたフロントホルダ５０５のロック突起５１９がハウジング５０３のロック部５２１に係止されることで、コンパクトなロック構造としながら、フロントホルダ５０５のコネクタ前方への移動を確実に規制することができる。
【先行技術文献】
【特許文献】
【０００４】
【特許文献１】特開２０１０−２７７７６３号公報
【特許文献２】特開２００４−６３３５３号公報
【発明の概要】
【発明が解決しようとする課題】
【０００５】
しかしながら、上述した従来のコネクタ５０１は、相手コネクタの離脱時に、図７（ｂ）に示すように、メス端子５０７がオス端子５２５との接圧によって引っ張られ、メス端子５０７は前方抜け防止壁５２３に強く押し付けられる状態となる。このため、フロントホルダ５０５は、両端で支えているロック突起５１９を起点に、図７（ｃ）に示すように、ホルダ中央部５２７が前方（図中、下方）へ撓む変形（湾曲変形）を生じ、ロック突起５１９がロック部５２１から外れる可能性があった。
【０００６】
本発明は上記状況に鑑みてなされたもので、その目的は、相手コネクタ離脱時のフロントホルダの前方への変形を抑制できるコネクタを提供することにある。
【課題を解決するための手段】
【０００７】
本発明に係る上記目的は、下記構成により達成される。
（１）  後方から接続端子が挿入される端子収容室を有する筒型形状のハウジングと、相手端子挿入孔を有して前記ハウジングの前端部に対してコネクタ嵌合方向に直交する上方から挿着され、前記ハウジングの両側壁に設けたロック部に係止されるフロントホルダと、を備えるコネクタであって、前記ハウジングの前端部における上面には、係合凸部が突設され、前記フロントホルダの上部には、前記ハウジングに挿着された際に前記係合凸部の両側面を挟持するように前記ハウジングの後方に向けて延びる一対の係止突起が突設されることを特徴とするコネクタ。
【０００８】
上記（１）の構成のコネクタによれば、相手コネクタとの嵌合を外す際、端子収容室内の接続端子に相手コネクタの接続端子を介して前方に向かう押圧力が発生すると、両側部がロック部に係止されたフロントホルダは、端子収容室内の接続端子に押圧付勢されて前方へ凸状に湾曲変形しようとする。すると、フロントホルダの上部に突設された一対の係止突起の突出端が、それぞれ内側に倒れようとして挟持している係合凸部の両側面を押圧し、係合凸部から反力を受けるので、係合凸部の両側面に当接した一対の係止突起の倒れは阻止される。そこで、一対の係止突起を介して係合凸部から反力を受けたフロントホルダは、前方へ湾曲しようとする変形が抑制される。また、係合凸部の両側面を挟持している一対の係止突起は、フロントホルダが湾曲変形しようとする力が大きくなるほど係合凸部に対する挟持力も大きくなるので、フロントホルダの前方への移動を規制することができる。
【０００９】
（２）  上記（１）の構成のコネクタであって、前記係合凸部の両側面及び前記一対の係止突起が、コネクタ嵌合方向と平行に延びることを特徴とするコネクタ。
【００１０】
上記（２）の構成のコネクタによれば、係合凸部の両側面及び係止突起が、コネクタ嵌合方向と平行に延びることで、これら部位の延在面をハウジング成形時の金型開閉方向と一致させることができ、アンダーカットが生じないので成形が容易となる。
【００１１】
（３）  上記（１）または（２）の構成のコネクタであって、前記係合凸部が、コネクタ嵌合方向に延びる一対のリブにより形成されることを特徴とするコネクタ。
【００１２】
このコネクタによれば、ハウジングに形成される係合凸部がコネクタ嵌合方向に延びる一対の平行なリブとして形成され、係合凸部を単一部位で形成する場合に比べ、係合凸部の両側面の間隔を容易に広げることができる。
【発明の効果】
【００１３】
本発明に係るコネクタによれば、相手コネクタ離脱時のフロントホルダの前方への変形を抑制できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るコネクタのフロントホルダをハウジングから分離した全体斜視図である。
【図２】（ａ）は図１に示したコネクタのフロントホルダを装着した状態の縦断面図、（ｂ）は（ａ）のＥ部拡大図である。
【図３】（ａ）は図２のＤ−Ｄ断面図、（ｂ）は（ａ）のＧ部拡大図である。
【図４】（ａ）は図２のＦ−Ｆ断面図、（ｂ）は（ａ）のＨ部拡大図である。
【図５】図４（ａ）に示したフロントホルダに対して前方へ凸状に湾曲変形させようとする押圧付勢力が作用した状態を示す図である。
【図６】従来のコネクタの縦断面である。
【図７】（ａ）は図６のＡ−Ａ断面図、（ｂ）は（ａ）のＣ−Ｃ断面図、（ｃ）はフロントホルダが湾曲した状態を示すコネクタの水平断面図である。
【図８】図７（ａ）のＢ−Ｂ断面図である。
【発明を実施するための形態】
【００１６】
以下、本発明に係る実施形態を図面を参照して説明する。
図１に示すように、本実施形態に係るコネクタ１１は、筒型に形成されるハウジング１３と、このハウジング１３に装着されるフロントホルダ１５と、を有する。ハウジング１３は、樹脂製（例えばＰＢＴ：ポリブチレンテレフタート等）の一体成形品からなる。なお、本明細書中、ハウジング１３は相手コネクタとの嵌合側を前、その反対側を後とし、フロントホルダ１５の挿着側を上とする。
【００１７】
図２に示すように、ハウジング１３には、複数の横並びの端子収容室１７が上下に形成されている。端子収容室１７には、ハウジング１３の後方から接続端子であるメス端子１９が挿入される。端子収容室１７には、メス端子１９の後方抜けを阻止するランス２１が設けられる。メス端子１９にはランス２１が係止するランス係止部２３が設けられる。
【００１８】
メス端子１９の後端には電線２４が接続され、電線２４はハウジング１３の後面２５から導出される。後面２５から導出された電線２４は、ハウジング１３の後面２５に取り付けられる電線カバー（図示せず）によって所望方向に向けられて覆われる。
【００１９】
図３に示すように、ハウジング１３は、略直方体形状であり、相手コネクタとの嵌合側に嵌合ブロック部２７が表出する。ハウジング１３には外周壁２９が形成され、外周壁２９は嵌合ブロック部２７の外側に離間して形成される。ハウジング１３にはこの外周壁２９に沿って空所３１が周設され、空所３１はコネクタ嵌合方向の前方に開口する。つまり、空所３１は、外周壁２９と嵌合ブロック部２７との間に形成される環状空間となる。空所３１の奥側には、嵌合ブロック部２７の外周に嵌装されたパッキン（図示せず）が収容される。空所３１の底面３３にはパッキンの係止部分と係合する貫通孔３５が穿設されている。この空所３１には、相手コネクタの套体部（図示せず）が挿入される。空所３１に挿入された套体部は、パッキンによって嵌合ブロック部２７との間が水密シールされる。
【００２０】
嵌合ブロック部２７の内方には、上記の端子収容室１７が形成されている。嵌合ブロック部２７の前面には、端子収容室１７が開口している。嵌合ブロック部２７の前部には、図１に示すホルダ収容空間３７が形成される。ホルダ収容空間３７は、ハウジング１３の上面３９に、フロントホルダ１５の挿着用のホルダ挿入開口部４１を有する。
【００２１】
フロントホルダ１５には、端子収容室１７に対応して複数の相手端子挿入孔４３が形成されている。フロントホルダ１５には、相手端子挿入孔４３の後方に、メス端子１９の先端部４５を収容する先端収容スペース４７が形成されている。フロントホルダ１５は、ハウジング１３の前端部４９（図１参照）に形成されたホルダ収容空間３７に、ホルダ挿入開口部４１から挿着される。つまり、フロントホルダ１５は、コネクタ嵌合方向に直交する上方（図３（ａ）の上方）から挿着される。
【００２２】
ホルダ収容空間３７の両側におけるハウジング１３の両側壁５１には、凹状のロック部５３が形成される。ロック部５３は、ハウジング１３の左右対称位置に設けられる。一方、フロントホルダ１５の両側面には、ロック突起５５が突設される。ホルダ収容空間３７に収容されたフロントホルダ１５は、このロック突起５５がロック部５３に係止されることで、ホルダ収容空間３７から上方への抜けが規制されると共に、コネクタ前方への移動が規制されて収容保持される。
ホルダ収容空間３７に保持されたフロントホルダ１５は、図２（ｂ）に示すように、メス端子１９の前方抜けを防止する前方抜け防止壁５７をそれぞれの端子収容室１７の前方に区画形成する。つまり、コネクタ１１は、ハウジング１３とフロントホルダ１５との２部品で端子収容室１７を構成している。
【００２３】
ハウジング１３の嵌合ブロック部２７における前端部４９のホルダ挿入開口部４１に隣接する上面３９には、係合凸部５９が突設されている。一方、フロントホルダ１５の上部６１には、一対の係止突起６３が突設される。
フロントホルダ１５の挿着方向後端部となる上部６１に突設された係止突起６３は、図４に示すように、フロントホルダ１５がホルダ収容空間３７に装着された際に、嵌合ブロック部２７の上面３９に突設された係合凸部５９の両側面６５を挟持するようにハウジング１３の後方に向けて延びている。
【００２４】
本実施形態において、嵌合ブロック部２７に設けられる係合凸部５９の両側面６５とフロントホルダ１５に設けられる一対の係止突起６３とは、コネクタ嵌合方向と平行に延びて形成されている。
また、本実施形態の係合凸部５９は、コネクタ嵌合方向に延びる一対のリブ６７により形成されている。一対のリブ６７からなる係合凸部５９は、係止突起６３の内側に配置され、各リブ６７の外側の側面６５が係止突起６３によって挟み込まれる。
【００２５】
次に、上記構成を有するコネクタ１１の作用を説明する。
本実施形態のコネクタ１１では、相手コネクタとの嵌合を外す相手コネクタ離脱時、メス端子１９が相手コネクタのオス端子との接圧によって引っ張られ、メス端子１９の先端が前方抜け防止壁５７を押圧すると、この押圧力によってフロントホルダ１５には前方に向かう付勢力が作用する。前方に向かう付勢力が作用したフロントホルダ１５は、両側部のロック突起５５が係止された両側壁５１のロック部５３を支点に前方へ凸状に湾曲変形しようとする。
【００２６】
すると、フロントホルダ１５の上部６１に突設された一対の係止突起６３の突出端（自由端）が、それぞれ内側に倒れようとし挟持している係合凸部５９の両側面６５を押圧し、係合凸部５９から反力を受けるので、係合凸部５９の両側面６５に当接した一対の係止突起６３の倒れは阻止される。そこで、一対の係止突起６３を介して係合凸部５９から反力を受けたフロントホルダ１５は、前方へ凸状に湾曲変形しようとする変形が抑制される。これにより、フロントホルダ１５のロック外れが防止される。
【００２７】
また、係合凸部５９の両側面６５を挟持している一対の係止突起６３は、フロントホルダ１５が湾曲変形しようとする力が大きくなるほど係合凸部５９に対する挟持力も大きくなるので、フロントホルダ１５の前方への移動を規制することができる。
【００２８】
また、本実施形態のコネクタ１１では、係合凸部５９の両側面６５及び係止突起６３が、コネクタ嵌合方向と平行に延びている。これにより、これら部位の延在面をハウジング成形時の金型開閉方向と一致させることができ、アンダーカットが生じないので成形が容易となる。
【００２９】
更に、上記コネクタ１１では、ハウジング１３に形成される係合凸部５９がコネクタ嵌合方向に延びる一対の平行なリブ６７として形成されている。これにより、係合凸部５９を単一部位で形成する場合に比べ、係合凸部５９の両側面６５の間隔を容易に広げることができる。即ち、係合凸部５９を単一部位で形成した場合、両側面６５の間隔を広げると係合凸部５９の体積が増大し、係合凸部５９の成形部位にヒケを生じる虞がある。
【００３０】
従って、上述した本実施形態に係るコネクタ１１によれば、相手コネクタ離脱時のフロントホルダ１５の前方への変形を抑制できる。
なお、本発明のコネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３１】
１１…コネクタ
１３…ハウジング
１５…フロントホルダ
１７…端子収容室
１９…メス端子（接続端子）
３９…上面
４３…相手端子挿入孔
４９…前端部
５１…側壁
５３…ロック部
５９…係合凸部
６１…上部
６３…係止突起
６５…両側面
６７…リブ
【図１】
2013105590.tif 000003
【図２】
2013105590.tif 000004
【図３】
2013105590.tif 000005
【図４】
2013105590.tif 000006
【図５】
2013105590.tif 000007
【図６】
2013105590.tif 000008
【図７】
2013105590.tif 000009
【図８】
2013105590.tif 000010